(57)【特許請求の範囲】
【請求項１】
ピストン部材とカートリッジ保持具をコーキングガンに装着し、該カートリッジ保持具に収容したカートリッジ内の接着液をピストン部材によって注出するコーキング用治具において、カートリッジ（１０）が２つのシリンダ筒体（１１，１２）を有し、該シリンダ筒体（１１，１２）の先端に２液を撹拌して２液混合系接着剤として注出するノズル（１３）を設けると共に基端に当該シリンダ筒体（１１，１２）が開口するフランジ基板（１４）を設けたものであり、ピストン部材（２０）が２本のピストン押棒（２１，２２）をピストン基板（２３）に設けたものであり、カートリッジ保持具（３０）が樋型構造の保持具本体（３１）を有し、該保持具本体（３１）に設けた仕切板（３２）と端壁となる前板（３５）によってカートリッジ収容室（３３）を形成すると共に該カートリッジ収容室（３３）の反対側にピストン挿入室（３４）を形成し、上記カートリッジ収容室（３３）にカートリッジ（１０）を縦方向から挿入できる幅の保持側板（３７）を設け、上記仕切板（３２）の近傍の上記保持側板（３７）に上記カートリッジ（１０）のフランジ基板（１４）を上方から挿入する縦溝（４２）を設け、上記ピストン挿入室（３４）に中央横板（４５）を設けたものであり、上記カートリッジ保持具（３０）をコーキングガン（６０）の先端に形成されたストッパー板（６３）に前板（３５）を当接して装着し、上記ピストン部材（２０）のピストン押棒（２１，２２）を上記カートリッジ保持具（３０）の中央横板（４５）を挟んで挿入すると共にピストン基板（２３）をコーキングガン（６０）のプランジャー（６６）に当接して装着し、上記カートリッジ（１０）をシリンダ筒体（１１，１２）を縦方向にしてフランジ基板（１４）を上記カートリッジ保持具（３０）の縦溝（４２）に挿入してカートリッジ収容室（３３）に収容し、上記カートリッジ（１０）のノズル（１３）をコーキングガン（６０）のストッパー板（６３）から突出することを特徴とする２液混合系接着剤の吐出治具。
【請求項２】
ピストン部材（２０）のピストン押棒（２１，２２）に長手に沿うガイド突条（２１ａ，２２ａ）を設け、カートリッジ保持具（３０）の中央横板（４５）の上下面に２本のガイドレール（４７，４８）を設け、上記ピストン押棒（２１，２２）ガイド突条（２１ａ，２２ａ）を上記ガイドレール（４７，４８）に摺動自在に嵌合することを特徴とする請求項１に記載の２液混合系接着剤の吐出治具。
【請求項３】
ピストン部材（２０）のピストン基板（２３）が、周縁にピストン押棒（２１，２２）を縦方向に向けたとき縦向きとなる断面コ字状のプランジャー係合子（２６）を設け、該プランジャー係合子（２６）をコーキングガン（６０）のプランジャー（６６）に係合させることを特徴とする請求項１又は２に記載の２液混合系接着剤の吐出治具。
【請求項４】
カートリッジ保持具（３０）の保持側板（３７）が、中央部に切込みを設けてカートリッジ挟持板（３９）を設け、該カートリッジ挟持板（３９）の自由端の内側にカートリッジ（１０）のシリンダ筒体を挟持する挟持手段（３９ａ）を形成したことを特徴とする請求項１から３のいずれかに記載の２液混合系接着剤の吐出治具。
【請求項５】
カートリッジ保持具（３０）が、前板（３５）に形成されたＵ字開口部（４０）の円弧部に沿って断面コ字状のストッパー係合子（５０）が設けられ、カートリッジ保持具（３０）をコーキングガン（６０）に装着するとき、上記ストッパー係合子（５０）をストッパー板（６３）に係合することを特徴とする請求項１から４のいずれかに記載の２液混合系接着剤の吐出治具。
【発明の詳細な説明】
【０００１】
【発明の属する技術分野】
本発明は、２液混合系接着剤の吐出治具に関している。
【０００２】
【従来の技術】
２液混合系接着剤を１液ずつ個別のシリンダ型容器に収容しておき、各液を押し出したときに撹拌されて２液混合系接着剤が得られるカートリッジ並びにカートリッジ内の接着液を押し出すコーキングガンがアメリカ特許第５５３５９２２号明細書によって知られている。
【０００３】
図１１は上記アメリカ特許明細書に記載されたコーキングガンであり、符号１０がカートリッジ、１がピストン、４０がコーキングガンを示している。カートリッジ１０は、ハウジング３０に収容してコーキングガン４０に装着し、ノズル２０はストッパー板４３のＵ字孔４７から突出する。カートリッジ１０にはピストン１の押棒３，５を挿入する。また、ピストン１の基板２にコーキングガン４０に設けたピストンロッド４１のプランジャー４６を当接する。コーキングガン４０は、ハンドル４４を握るとプランジャー４６が前進する構造になっているので、ハンドル４４を握ってプランジャー４６を前進させ、ピストン１の押棒３，５をカートリッジ１０の筒１３，１４内に挿入して各筒内の接着液を押し出し、ノズル２０内で撹拌して２液混合系接着剤とする。
【０００４】
上記アメリカ特許明細書に記載されたコーキングガンは、カートリッジ内の接着剤を使いきって空になった時に、カートリッジを交換するのは当然であるが、カートリッジの交換に際し、ピストン１及びハウジング３０をコーキングガン４０から外し、新しいカートリッジをハウジング３０に収容して再び装着しなおさなければならないといった不便があった。又、同コーキングガンは、ハウジングの前後方向の制御手段が無いため、カートリッジからピストンを引っ張り出す際に、ピストンと一緒にハウジングも移動してしまうので、ハウジングを一方の手で押さえながら、他方の手でピストンを引っ張り出さなければならない等の不便もあった。
【０００５】
又、アメリカ特許以前にも、２液混合系接着剤のカートリッジ用専用ガンは使用されていたが、これは高価なものであり普及しているとは云えなかった。
【０００６】
【発明が解決しようとする課題】
本発明は、２液混合系接着剤を１液ずつ個別に収容するカートリッジ、カートリッジを収容するカートリッジ保持具、カートリッジ内の接着液を押し出すピストン部材を備え、これらの各部材を市販のコーキングガンを使用して２液混合系接着剤を吐出することができる吐出治具を提供するものである。
【０００７】
【課題を解決するための手段】
解決手段の第１は、ピストン部材とカートリッジ保持具をコーキングガンに装着し、該カートリッジ保持具に収容したカートリッジ内の接着液をピストン部材によって注出するコーキング用治具において、カートリッジが２つのシリンダ筒体を有し、該シリンダ筒体の先端に２液を撹拌して２液混合系接着剤として注出するノズルを設けると共に基端に当該シリンダ筒体が開口するフランジ基板を設けたものであり、ピストン部材が２本のピストン押棒をピストン基板に設けたものであり、カートリッジ保持具が樋型構造の保持具本体を有し、該保持具本体に設けた仕切板と端壁となる前板によってカートリッジ収容室を形成すると共に該カートリッジ収容室の反対側にピストン挿入室を形成し、上記カートリッジ収容室にカートリッジを縦方向から挿入できる幅の保持側板を設け、上記仕切板の近傍の上記保持側板に上記カートリッジのフランジ基板を上方から挿入する縦溝を設け、上記ピストン挿入室に中央横板を設けたものであり、上記カートリッジ保持具をコーキングガンの先端に形成されたストッパー板に前板を当接して装着し、上記ピストン部材のピストン押棒を上記カートリッジ保持具の中央横板を挟んで挿入しすると共にピストン基板をコーキングガンのプランジャーに当接して装着し、上記カートリッジをシリンダ筒体を縦方向にしてフランジ基板を上記カートリッジ保持具の縦溝に挿入してカートリッジ収容室に収容し、上記カートリッジのノズルをコーキングガンのストッパー板から突出することを特徴とする。
解決手段の第２は、解決手段の第１において、ピストン部材のピストン押棒に長手に沿うガイド突条を設け、カートリッジ保持具の中央横板の上下面に２本のガイドレールを設け、上記ピストン押棒のガイド突条を上記ガイドレールに摺動自在に嵌合することを特徴とする。
解決手段の第３は、解決手段の第１又は２において、ピストン部材のピストン基板が、周縁にピストン押棒を縦方向に向けたとき縦向きとなる断面コ字状のプランジャー係合子を設け、該プランジャー係合子をコーキングガンのプランジャーに係合させることを特徴とする。
解決手段の第４は、解決手段の第１から３のいずれかにおいて、カートリッジ保持具の保持側板が、中央部に切込みを設けてカートリッジ挟持板を設け、該カートリッジ挟持板の自由端の内側にカートリッジのシリンダ筒体を挟持する挟持手段を形成したことを特徴とする。
解決手段の第５は、解決手段の第１から４のいずれかにおいて、カートリッジ保持具の前板に形成されたＵ字開口部の円弧部に沿って断面コ字状のストッパー係合子が設けられ、カートリッジ保持具をコーキングガンに装着するとき、上記ストッパー係合子をストッパー板に係合することを特徴とする。
【０００８】
【発明の実施の形態】
図１はカートリッジ、ピストン部材、カートリッジ保持具を示している。カートリッジ１０は、独立した室に形成されている２つの平行なシリンダ筒体１１，１２を有し、該シリンダ筒体１１，１２の先端にノズル１３を設け、基端に正面視長方形のフランジ基板１４を設けたものであって、ノズル１３は、シリンダ筒体１１，１２からの接着液を撹拌して注出口から２液混合系の接着剤を吐出するものである。又、シリンダ筒体１１，１２はフランジ基板１４の面で開口している。
【０００９】
ピストン部材２０は、平行する２本のピストン押棒２１，２２と該ピストン押棒２１，２２の基端にピストン基板２３を設けたものである。
【００１０】
カートリッジ保持具３０は、カートリッジ１０を支持してコーキングガンに装着するものであって、断面円弧状の底部を有し上方が開放された樋型構造の保持具本体３１に仕切板３２により一方の室をカートリッジ収容室３３に、他方の室をピストン挿入室３４に形成したものである。なお、カートリッジ収容室３３の端壁は前板３５であり、ピストン挿入室３４の端壁は後板３６である。
【００１１】
図２、図３はピストン部材を示している。ピストン部材２０のピストン押棒２１，２２は、取付間隔が上記カートリッジ１０のシリンダ筒体１１，１２の取付間隔と一致させており、先端にピストン押板２４，２５が設けられている。またピストン基板２３にはピストン押棒２１，２２の反対側の面の周縁に、該ピストン押棒２１，２２を縦方向に向けたときに縦向きとなる断面コ字状のプランジャー係合子２６が設けられている。なお、プランジャー係合子２６は、後述するコーキングガンのプランジャーと係合させるものである。この他、ピストン押棒２１，２２は断面十字形を呈しており、対向する各突条をガイド突条２１ａ，２２ａとしている。
【００１２】
図４から図６はカートリッジ保持具を示している。保持具本体３１のカートリッジ収容室３３には、２枚の平行な保持側板３７がカートリッジ１０を縦方向から挿入できる幅で設けられ、また各保持側板３７の中央部に切込み３８を設けて保持側板３７よりは背の低いカートリッジ挟持板３９が形成されている。なおカートリッジ挟持板３９は、自由端の内側にカートリッジ１０を収容したときシリンダ筒体１２を挟持する挟持手段３９ａが形成されている。また前板３５には正面視Ｕ字形のＵ字開口部４０が形成されている。Ｕ字開口部４０は、カートリッジ収容室３３に収容したカートリッジ１０のノズル１３を突出するものである。
【００１３】
又、カートリッジ１０が、カートリッジ収容室３３に安定よく収容できるようにするため、保持具本体３１の底部に長手に沿って支持突条４１が設けられている。該支持突条４１はノズル支持部分では階段状４１ａに高くなっている。カートリッジ収容室３３内において、保持側板３７の仕切板３２の近傍に、カートリッジ１０のフランジ基板１４を上方から挿入する縦溝４２が形成され、該縦溝４２の下端となる保持具本体３１に上記フランジ基板１４の隅部が挿入できる切溝４３が設けられている。
【００１４】
仕切板３２を挟んでカートリッジ収容室３３の反対側に形成されたピストン挿入室３４には、中心部を通る水平な中央横板４５が設けられ、また後板３６はピストン部材２０のピストン押棒２１，２２を挿入する後面開口部４６が形成されている。中央横板４５の上下両面には中心部を通り長手に沿う２本のガイドレール４７，４８が設けられており、このガイドレール４７，４８によって形成される溝内に、ピストン押棒２１，２２の断面十字形に形成された縦方向の部材を摺動自在に嵌合してピストン部材２０とカートリッジ保持具３０を結合する。又、仕切板３２と後板３６の中間部には、カートリッジ保持具３０をコーキングガンにバンド又は紐を掛けて結合するためのバンド穴４９を設けている。この他、前板３５には、Ｕ字開口部４０の円弧部に沿ってコーキングガンのストッパー板と係合する断面コ字状のストッパー係合子５０が設けられている。
【００１５】
図７はカートリッジをカートリッジ保持具に収容しピストンロッドを結合してコーキングガンに装着した状態を示している。コーキングガン６０は、断面円弧状で上方が開放された樋型構造のコーキングシリンダ６１を有し、該コーキングシリンダ６１の基部に取手６２を設けたものである。６３はコーキングシリンダ６１の先端に設けたストッパー板であり、正面視Ｕ字状のＵ字孔６４を形成すると共に、該ストッパー板６３にはコーキングシリンダ６１の胴部を延長した庇板６１ａが形成されている。
【００１６】
又、コーキングシリンダ６１には、プランジャー６６を有する摺動自在なピストンロッド６５が設けられ、該ピストンロッド６５はコーキングシリンダ６１から突出させた先端に摘み６７が形成されている。又、ピストンロッド６５は、取手６２に枢着６９によって回動自在なハンドル６８が設けられており、当該ハンドル６８を握るとピストンロッド６５はプランジャー６６部分が前進する構造になっている。なお、ピストンロッド６５は摘み６７を引っ張るとハンドル６８の操作とは関係なくプランジャー６６を後退させることができる。
【００１７】
本発明は上記の構成であり、まず、ピストン部材２０の一方のピストン押棒２１のガイド突条２１ａを保持具本体３１のガイドレール４７に、他方のピストン押棒２２のガイド突条２２ａをガイドレール４８に摺動自在に係合する。これによりピストン部材２０はピストン押棒２１，２２がカートリッジ保持具３０の中央横板４５を挟んでカートリッジ保持具３０と係合される（図８）。次に、係合されたピストン部材２０とカートリッジ保持具３０の両部材を、ピストン基板２３のプランジャー係合子２６がプランジャー６６に係合するように、コーキングガン６０のコーキングシリンダ６１内に装着する。
【００１８】
そして、カートリッジ保持具３０の前板３５のＵ字開口部４０が下向きになるように該両部材を１８０度回転した姿勢にしてストッパー係合子５０をＵ字孔６４から突出した状態にする。このとき、保持具本体３１の先端部はコーキングシリンダ６１内の庇板６１ａの内側に達している。次いで、保持具本体３１をコーキングシリンダ６１内で１８０度回転して開放部が上向きとなるように姿勢を変えると、ストッパー係合子５０がストッパー板６３の外側に達し、これにより保持具本体３１の長手方向の移動が阻止される。
【００１９】
また、ストッパー係合子５０をコーキングシリンダ６１の庇板６１ａよりも長くすることにより、当該カートリッジ保持具３０を１８０度回転しなくても、カートリッジ保持具３０の前板３５のＵ字開口部４０が上向きの状態で装着することもできる。
【００２０】
カートリッジ収容室３３には、カートリッジ１０をシリンダ筒体１１，１２を縦方向に向け、フランジ基板１４を仕切板３２の近傍の縦溝４２内に上方から挿入して収容する（図９）。このとき、フランジ基板１４の下方隅部は保持具本体３１に設けた切溝４３内に挿入されて姿勢が安定している。なおカートリッジ１０のフランジ基板１４にはシリンダ筒体１１，１２が開口しており、この開口とピストン部材２０のピストン押棒２１，２２対向しているので、コーキングガン６０のハンドル６８を操作してプランジャー６６を前進させると、ピストン押棒２１，２２がシリンダ筒体１１，１２内に挿入される。
【００２１】
カートリッジ保持具３０はバンド７０によってコーキングガン６０と結合しておく。バンド７０は、ピストン挿入室３４に設けたバンド穴４９に通し、コーキングシリンダ６１の下方を掛け渡しておく。なお、カートリッジ保持具３０のカートリッジ収容室３３内に収容されたカートリッジ１０は、シリンダ筒体１２が支持突条４１とカートリッジ挟持板３９の各挟持爪３９ａの３点で固定されている（図１０）。カートリッジ１０がカートリッジ保持具３０に装着されたとき、ノズル１３はストッパー板６３のＵ字孔６４から突出している。
【００２２】
コーキング作業はカートリッジ１０内の各シリンダ筒体１１，１２内の接着液をノズル１３から注出して行う。コーキングガン６０のハンドル６８を操作してプランジャー６６と共にピストン部材２０を前進させると、ピストン押棒２１，２２によってカートリッジ１０のシリンダ筒体１１，１２内の接着液がノズル１３から押し出され、同時に撹拌されて２液混合系の接着剤となる。
【００２３】
カートリッジ１０が空になったら、プランジャー６６と共にピストン部材２０を戻し、カートリッジ１０をカートリッジ保持具３０から外し、新しいカートリッジを装着する。このとき、カートリッジ保持具３０及びピストン部材２０はコーキングガン６０に装着したままで外す必要はない。
【００２４】
【発明の効果】
本発明は、コーキングガンにカートリッジ保持具及びピストン部材を結合状態で装着したものであるから、カートリッジ保持具をコーキングガンに装着したままカートリッジのみの交換ができるので作業性がよいこと、又、カートリッジ保持具にストッパー係合子を設けてあるので、カートリッジ内の接着剤を使いきった後、カートリッジからピストンを引っ張り出す際に、ピストンと一緒にカートリッジ保持具が移動しないので操作性が良いことの効果がある。
この他、本発明は、コーキング用に市販されている比較的安価なコーキングガンを利用できるので経済的にも有利であることの効果を有している。
【図面の簡単な説明】
【図１】本発明のカートリッジ、ピストン部材、カートリッジ保持具を示す斜視図。
【図２】ピストン部材を示しており、Ａは正面図、Ｂは平面図。
【図３】ピストン部材を示しており、Ａは左側面図、Ｂは右側面図、Ｃは図２ｃ−ｃ線断面図。
【図４】カートリッジ保持具を示しており、Ａは正面図、Ｂは平面図。
【図５】カートリッジ保持具を示しており、Ａは左側面図、Ｂは右側面図。
【図６】図４における断面図であり、Ａはａ−ａ線、Ｂはｂ−ｂ線、Ｃはｃ−ｃ線、Ｄはｄ−ｄ線の各断面図。
【図７】カートリッジをカートリッジ保持具に収容しピストンロッドを結合してコーキングガンに装着した状態を示す斜視図。
【図８】ピストン部材をカートリッジ保持具に装着したときの図４ｄ−ｄ線断面図。
【図９】カートリッジをカートリッジ保持具に収容したときの図４ｃ−ｃ線断面図。
【図１０】カートリッジをカートリッジ保持具に収容したときの図４ｂ−ｂ線断面図。
【図１１】従来技術を示す斜視図。
【符号の説明】
１０  カートリッジ
１１  シリンダ筒体
１２  シリンダ筒体
１３  ノズル
１４  フランジ基板
２０  ピストン部材
２１  ピストン押棒
２２  ピストン押棒
２３  ピストン基板
２４  ピストン押板
２５  ピストン押板
２６  プランジャー係合子
３０  カートリッジ保持具
３１  保持具本体
３２  仕切板
３３  カートリッジ収容室
３４  ピストン挿入室
３５  前板
３６  後板
３７  保持側板
３８  切込み
３９  挟持板
４０  Ｕ字開口部
４１  支持突条
４２  縦溝
４３  切溝
４５  中央横板
４６  後面開口部
４７  ガイドレール
４８  ガイドレール
４９  バンド穴
５０  ストッパー係合子
６０  コーキングガン
６１  コーキングシリンダ
６２  取手
６３  ストッパー板
６４  Ｕ字孔
６５  ピストンロッド
６６  プランジャー
６７  摘み
６８  ハンドル
６９  枢着
７０  バンド
【図１】
0003981584.tif 000002
【図２】
0003981584.tif 000003
【図３】
0003981584.tif 000004
【図４】
0003981584.tif 000005
【図５】
0003981584.tif 000006
【図６】
0003981584.tif 000007
【図７】
0003981584.tif 000008
【図８】
0003981584.tif 000009
【図９】
0003981584.tif 000010
【図１０】
0003981584.tif 000011
【図１１】
0003981584.tif 000012